(57)【要約】【課題】使用者がセキュリティー状態を確認する時間を短縮できる画像形成装置を提供する。【解決手段】画像形成装置２は、画像形成部と、記憶部３９と、通信部８０と、設定部１２ａと、算出部１２ｂと、表示部２４とを備える。設定部１２ａは、複数のセキュリティー設定項目毎に、セキュリティー状態を示す状態情報を設定する。算出部１２ｂは、複数のセキュリティー設定項目にそれぞれ設定された複数の状態情報に基づいて、セキュリティー度合を算出する。表示部２４は、セキュリティー度合を示す度合情報を表示する。セキュリティー状態は、通信部８０を介して外部装置と通信するときの通信制限状態を示す。セキュリティー度合は、複数のセキュリティー設定項目にそれぞれ設定された複数の状態情報によって示されるトータルの通信制限の程度を示す。【選択図】図３
2020131448.tif 000002
【特許請求の範囲】
【請求項１】
シートに画像を形成する画像形成部と、
情報を記憶する記憶部と、
前記記憶部から読み込んだ情報を外部装置に送信し、又は、前記外部装置から情報を受信する通信部と、
複数のセキュリティー設定項目毎に、セキュリティー状態を示す状態情報を設定する設定部と、
前記複数のセキュリティー設定項目にそれぞれ設定された複数の前記状態情報に基づいて、セキュリティー度合を算出する算出部と、
前記セキュリティー度合を示す度合情報を表示する表示部と
を備え、
前記複数のセキュリティー設定項目の各々は、前記通信部による通信に関し、
前記セキュリティー状態は、前記通信部を介して前記外部装置と通信するときの通信制限状態を示し、
前記セキュリティー度合は、前記複数のセキュリティー設定項目にそれぞれ設定された前記複数の状態情報によって示されるトータルの通信制限の程度を示す、画像形成装置。
【請求項２】
前記通信部には、複数のポートが割り当てられており、
前記複数のセキュリティー設定項目は、それぞれ、前記複数のポートに対応し、
前記状態情報は、前記ポートの通信制限状態を示す情報を含み、
前記ポートの通信制限状態は、前記ポートを介して前記外部装置と通信可能な状態を示す開放状態と、前記ポートを介して前記外部装置と通信不可能な状態を示す閉鎖状態とのうちのいずれかを示し、
前記セキュリティー度合は、前記複数のポートのうち、前記開放状態のポートの数を示す情報を含む、請求項１に記載の画像形成装置。
【請求項３】
前記状態情報は、通信許容情報を更に含み、
前記通信許容情報は、複数の前記外部装置のうち、前記ポートを介して通信可能な外部装置を特定する情報を含む、請求項２に記載の画像形成装置。
【請求項４】
前記複数の状態情報の各々には、点数が付与され、
前記度合情報は、前記複数のセキュリティー設定項目にそれぞれ設定された前記複数の状態情報に付与された前記点数の合計値を含む、請求項１から請求項３のいずれか１項に記載の画像形成装置。
【請求項５】
前記度合情報は、前記複数のセキュリティー設定項目にそれぞれ設定された前記複数の状態情報に基づくメッセージを含み、
前記メッセージは、セキュリティー上の脅威を示す、請求項１から請求項４のいずれか１項に記載の画像形成装置。
【請求項６】
使用者からの入力を受け付ける入力部と、
前記入力部が前記使用者から特定の入力を受け付けたときに、前記度合情報に基づいて、前記複数のセキュリティー設定項目にそれぞれ設定された前記複数の状態情報を調整する調整部と
を更に備える、請求項１から請求項５のいずれか１項に記載の画像形成装置。
【請求項７】
前記記憶部に記憶される前記情報は、機密情報を含む、請求項１から請求項６のいずれか１項に記載の画像形成装置。
【請求項８】
シートに画像を形成するステップと、
情報を記憶するステップと、
情報を外部装置に送信し、又は、前記外部装置から情報を受信するステップと、
複数のセキュリティー設定項目毎に、セキュリティー状態を示す状態情報を設定するステップと、
前記複数のセキュリティー設定項目にそれぞれ設定された複数の前記状態情報に基づいて、セキュリティー度合を算出するステップと、
前記セキュリティー度合を示す度合情報を表示するステップと
を含み、
前記複数のセキュリティー設定項目の各々は、通信に関し、
前記セキュリティー状態は、前記外部装置と通信するときの通信制限状態を示し、
前記セキュリティー度合は、前記複数のセキュリティー設定項目にそれぞれ設定された前記複数の状態情報によって示されるトータルの通信制限の程度を示す、画像形成方法。
【発明の詳細な説明】
【技術分野】
【０００１】
本発明は、画像形成装置及び画像形成方法に関する。
【背景技術】
【０００２】
特許文献１に記載の画像形成システムは、デジタル複写機と、サーバーと、複数のコンピューターとを備える。サーバーは、セキュリティーレベル設定手段を含む。セキュリティーレベル設定手段は、デジタル複写機から複数のコンピューターに画像データを送信する際の通信許容範囲を定めるセキュリティーレベルをデジタル複写機に設定する。デジタル複写機は、表示手段を備える。表示手段は、セキュリティーレベルに基づくセキュリティー状態を示す状態情報を表示する。
【先行技術文献】
【特許文献】
【０００３】
【特許文献１】特開２００４−３８４６６号公報
【発明の概要】
【発明が解決しようとする課題】
【０００４】
デジタル複写機のような画像形成装置は、複数のセキュリティー設定項目を有する。そして、画像形成装置には、複数のセキュリティー設定項目毎に、状態情報が設定される。例えば、ファックス送信処理に関する２５番のポートに対応するセキュリティー設定項目に、開放状態を示す情報が設定され、ホームページ閲覧処理に関する８０番のポートに対応するセキュリティー設定項目に、閉鎖状態を示す情報が設定される。このように多数のセキュリティー設定項目を有する場合に、複数のセキュリティー設定項目毎に、状態情報が表示されると、使用者はセキュリティー状態を確認する時間を要した。
【０００５】
本発明は上記課題に鑑みてなされたものであり、その目的は、使用者がセキュリティー状態を確認する時間を短縮できる画像形成装置及び画像形成方法を提供することにある。
【課題を解決するための手段】
【０００６】
本発明の一局面によれば、画像形成装置は、画像形成部と、記憶部と、通信部と、設定部と、算出部と、表示部とを備える。前記画像形成部は、シートに画像を形成する。前記記憶部は、情報を記憶する。前記通信部は、前記記憶部から読み込んだ情報を外部装置に送信し、又は、前記外部装置から情報を受信する。前記設定部は、複数のセキュリティー設定項目毎に、セキュリティー状態を示す状態情報を設定する。前記算出部は、前記複数のセキュリティー設定項目にそれぞれ設定された複数の前記状態情報に基づいて、セキュリティー度合を算出する。前記表示部は、前記セキュリティー度合を示す度合情報を表示する。前記複数のセキュリティー設定項目の各々は、前記通信部による通信に関する。前記セキュリティー状態は、前記通信部を介して前記外部装置と通信するときの通信制限状態を示す。前記セキュリティー度合は、前記複数のセキュリティー設定項目にそれぞれ設定された前記複数の状態情報によって示されるトータルの通信制限の程度を示す。
【０００７】
本発明の一局面によれば、画像形成方法は、シートに画像を形成するステップと、情報を記憶するステップと、情報を通信するステップと、セキュリティー状態を示す状態情報を設定するステップと、セキュリティー度合を算出するステップと、セキュリティー度合を示す度合情報を表示するステップとを含む。前記情報を通信するステップは、情報を外部装置に送信し、又は、前記外部装置から情報を受信する。前記状態情報を設定するステップは、複数のセキュリティー設定項目毎に、状態情報を設定する。前記セキュリティー度合を算出するステップは、前記複数のセキュリティー設定項目にそれぞれ設定された複数の前記状態情報に基づいて、セキュリティー度合を算出する。前記複数のセキュリティー設定項目の各々は、通信に関する。前記セキュリティー状態は、前記外部装置と通信するときの通信制限状態を示す。前記セキュリティー度合は、前記複数のセキュリティー設定項目にそれぞれ設定された前記複数の状態情報によって示されるトータルの通信制限の程度を示す。
【発明の効果】
【０００８】
本発明の画像形成装置及び画像形成方法によれば、使用者がセキュリティー状態を確認する時間を短縮できる。
【図面の簡単な説明】
【０００９】
【図１】本発明の実施形態に係る画像形成システムの構成の一例を示す図である。
【図２】本実施形態に係る画像形成装置を示す構成図である。
【図３】本実施形態に係る画像形成装置を示すブロック図である。
【図４】本実施形態に係る操作画像の一例を示す図である。
【図５】本実施形態に係る設定画像の一例を示す図である。
【図６】本実施形態に係る設定画像の他の一例を示す図である。
【図７】本実施形態に係る操作画像の他の一例を示す図である。
【図８】本実施形態に係る画像形成装置の動作を示すフローチャートである。
【発明を実施するための形態】
【００１０】
以下、本発明の実施形態について、図面を参照しながら説明する。なお、図中、同一又は相当部分については同一の参照符号を付して説明を繰り返さない。
【００１１】
まず、図１を参照して、本実施形態に係る画像形成システム１の構成について説明する。図１は、本実施形態に係る画像形成システム１の構成の一例を示す図である。図１に示すように、画像形成システム１は、画像形成装置２と、複数の外部装置３を備える。
【００１２】
複数の外部装置３は、外部装置３ａと、外部装置３ｂとを備える。外部装置３ａのＩＰ（Ｉｎｔｅｒｎｅｔ  Ｐｒｏｔｏｃｏｌ）アドレスは、例えば、「１２３．１２３．１２３．０」である。外部装置３ｂのＩＰアドレスは、例えば、「１２３．１２３．１２３．１」である。
【００１３】
画像形成装置２及び複数の外部装置３の各々は、例えばネットワークＮを介して、お互いに通信可能に構成される。ネットワークＮは、例えばＷＡＮ（Ｗｉｄｅ  Ａｒｅａ  Ｎｅｔｗｏｒｋ）又はＬＡＮ（Ｗｉｄｅ  Ａｒｅａ  Ｎｅｔｗｏｒｋ）である。
【００１４】
次に、図２を参照して、本実施形態に係る画像形成装置２の構成を説明する。図２は、本実施形態に係る画像形成装置２を示す構成図である。図２に示すように、画像形成装置２は、例えば、複写機、プリンター、ファクシミリ、又はこれらの機能を兼ね備えた複合機である。以下の明細書では、例えば、画像形成装置２が電子写真方式の複合機である場合について説明する。
【００１５】
画像形成装置２はシートＳに画像を形成する。画像形成装置２は、原稿搬送装置８と、読取部６と、給送部１４と、搬送部１６と、画像形成部４と、定着部１８と、排出部１９と、制御部１２と、記憶部３９と、表示操作部１０とを備える。
【００１６】
原稿搬送装置８は、原稿Ｇを読取部６に搬送する。原稿搬送装置８は、原稿トレイ２０を含む。原稿トレイ２０には、原稿Ｇが載置される。原稿搬送装置８は、例えば、ＡＤＦ（Ａｕｔｏ  Ｄｏｃｕｍｅｎｔ  Ｆｅｅｄｅｒ）である。
【００１７】
読取部６は、原稿搬送装置８が搬送した原稿Ｇから画像を読み取る。読取部６は、読み取った画像から画像データを生成する。そして、読取部６は、画像データを記憶部３９に出力する。読取部６は、ＣＩＳ（Ｃｏｎｔａｃｔ  Ｉｍａｇｅ  Ｓｅｎｓｏｒ）方式又はＣＣＤ（Ｃｈａｒｇｅ  Ｃｏｕｐｌｅｄ  Ｄｅｖｉｃｅｓ）方式のスキャナーである。
【００１８】
給送部１４は、シートＳを収容し、搬送部１６へシートＳを給送する。シートＳは、例えば、紙製又は合成樹脂製のシートである。搬送部１６は、複数の搬送ローラー対を含み、画像形成部４にシートＳを搬送する。
【００１９】
画像形成部４は、記憶部３９に記憶された画像データに基づいてシートＳに画像を形成する。具体的には、画像形成部４は、感光体ドラムと、帯電装置と、露光装置と、現像装置と、転写装置と、クリーニング装置と、除電装置とを含む。
【００２０】
定着部１８は、シートＳを加熱及び加圧し、シートＳに形成された画像をシートＳに定着させる。排出部１９は、シートＳを画像形成装置２の外部に排出する。
【００２１】
記憶部３９は、記憶装置を含む。具体的には、記憶部３９は、半導体メモリーのような主記憶装置、並びに、半導体メモリー及び／又はハードディスクドライブのような補助記憶装置を含む。記憶部３９は、情報及びコンピュータープログラムを記憶する。情報は、例えば、画像データ及び機密情報を含む。機密情報は、例えば、住所録データを含む。
【００２２】
制御部１２は、画像形成装置２の各部の動作を制御する。具体的には、制御部１２は、ＣＰＵ（Ｃｅｎｔｒａｌ  Ｐｒｏｃｅｓｓｉｎｇ  Ｕｎｉｔ）のようなプロセッサーを含む。そして、制御部１２のプロセッサーは、記憶部３９の記憶装置に記憶されたコンピュータープログラムを実行することによって、画像形成装置２の各部の動作を制御する。
【００２３】
表示操作部１０は、表示部２４と、入力部２６とを含む。入力部２６は、使用者からの入力を受け付ける。具体的には、入力部２６は、複数のハードウェアボタンを含む。
【００２４】
表示部２４は、使用者に情報を表示する。具体的には、表示部２４は、例えば、ＬＣＤ（Ｌｉｑｕｉｄ  Ｃｒｙｓｔａｌ  Ｄｉｓｐｌａｙ）のようなディスプレーであり、種々の画像を表示する。また、表示部２４は、タッチパネル機能を有しており、タッチセンサーを含む。タッチパネル機能を有する表示部２４は、入力部２６の一部を構成する。
【００２５】
続けて、図３を参照して、本実施形態に係る画像形成装置２の構成の詳細を説明する。図３は、本実施形態に係る画像形成装置２を示すブロック図である。図３に示すように、画像形成装置２は、通信部８０を更に備える。
【００２６】
通信部８０は、ネットワークＮを介して複数の外部装置３と通信する。通信部８０は、記憶部３９から読み込んだ情報を複数の外部装置３に送信し、又は、複数の外部装置３から情報を受信する。
【００２７】
通信部８０には、例えば、複数のポート（ネットワークポート）６０が割り当てられている。例えば、複数のポート６０は、第１ポート６１と、第２ポート６２と、第３ポート６３とを有する。
【００２８】
第１ポート６１は、例えば、２５番のポートである。第１ポート６１のプロトコルには、ファックス送信処理を実行するためのＳＭＴＰ（Ｓｉｍｐｌｅ  Ｍａｉｌ  Ｔｒａｎｓｆｅｒ  Ｐｒｏｔｏｃｏｌ）が対応付けられる。
【００２９】
第２ポート６２は、例えば、８０番のポートである。第２ポート６２のプロトコルには、ホームページ閲覧処理を実行するためのＨＴＴＰ（Ｈｙｐｅｒ  Ｔｅｘｔ  Ｔｒａｎｓｆｅｒ  Ｐｒｏｔｏｃｏｌ）が対応付けられる。
【００３０】
第３ポート６３は、例えば、２０番のポートである。
【００３１】
制御部１２は、設定部１２ａと、算出部１２ｂと、調整部１２ｃとを含む。具体的には、制御部１２のプロセッサーが、記憶部３９の記憶装置に記憶されたコンピュータープログラムを実行することによって、設定部１２ａ、算出部１２ｂ、及び調整部１２ｃとして機能する。
【００３２】
設定部１２ａは、複数のセキュリティー設定項目毎に、セキュリティー状態を示す状態情報を設定する。セキュリティー設定項目の各々は、通信部８０による通信に関する。例えば、複数のセキュリティー設定項目は、それぞれ、複数のポート６０に対応する。例えば、第１のセキュリティー設定項目は、第１ポート６１に対応する。第２のセキュリティー設定項目は、第２ポート６２に対応する。第３のセキュリティー設定項目は、第３ポート６３に対応する。
【００３３】
セキュリティー状態は、通信部８０を介して複数の外部装置３と通信するときの通信制限状態を示す。詳細には、セキュリティー状態を示す状態情報は、ポート６０の通信制限状態を示す情報を含む。ポート６０の通信制限状態は、開放状態と閉鎖状態とのうちのいずれかを示す。開放状態は、ポート６０を介して複数の外部装置３と通信可能な状態を示す。一方、閉鎖状態は、ポート６０を介して複数の外部装置３と通信不可能な状態を示す。例えば、第１ポート６１の通信制限状態は、閉鎖状態を示す。第２ポート６２の通信制限状態は、開放状態を示す。第３ポート６３の通信制限状態は、閉鎖状態を示す。
【００３４】
算出部１２ｂは、複数のセキュリティー設定項目にそれぞれ設定された複数の状態情報に基づいて、セキュリティー度合を算出する。詳細には、セキュリティー度合は、複数のセキュリティー設定項目にそれぞれ設定された複数の状態情報によって示されるトータルの通信制限の程度を示す。例えば、セキュリティー度合は、複数のポート６０のうち、開放状態のポート６０の数を示す情報を含む。
【００３５】
続けて、図４を参照して、表示部２４に表示された操作画像４０Ａの一例について説明する。図４は、本実施形態に係る操作画像４０Ａの一例を示す図である。図４に示すように、表示部３０は、初期操作画像として操作画像４０Ａを表示する。
【００３６】
操作画像４０Ａは、アイコン４０ａ〜アイコン４０ｃを含む。アイコン４０ａは、「コピー」アイコンを示し、アイコン４０ｂは、「送信」アイコンを示し、アイコン４０ｃは、「ファックス」アイコンを示す。
【００３７】
アイコン４０ａ〜アイコン４０ｃの各々は、操作キー画像であり、使用者からの入力を受け付ける。例えば、アイコン４０ａは、コピー動作を開始させる指示を使用者から受け付ける。また、アイコン４０ｂは、送信動作を開始させる指示を使用者から受け付ける。
【００３８】
アイコン４０ｃは、ファックス動作を開始させる指示を使用者から受け付ける。ファックス動作を開始させる指示を受け付けたときに、第１ポート６１が開放状態であれば、第１ポート６１を介してファックス送信処理が実行される。一方、ファックス動作を開始させる指示を受け付けたときに、第１ポート６１が閉鎖状態であれば、ファックス送信処理が実行されない。
【００３９】
操作画像４０Ａは、フォルダー４１ａ〜フォルダー４１ｄを更に含む。フォルダー４１ａは、「ジョブボックス」フォルダーを示し、フォルダー４１ｂは、「外部メモリー」フォルダーを示し、フォルダー４１ｃは、「Ｆコードボックス」フォルダーを示し、フォルダー４１ｄは、「ボーリングボックス」フォルダーを示す。フォルダー４１ａ〜フォルダー４１ｄの各々は、各種の画像データを保存する入れ物である。
【００４０】
操作画像４０Ａは、セキュリティー度合を示す度合情報４３を更に含む。度合情報４３は、個々に状態情報を示すのではなく、複数の状態情報によって示されるトータルの通信制限の程度（トータルセキュリティー）を示す。従って、使用者は、個々に状態情報を確認する必要がなく、度合情報４３のみを確認する。その結果、使用者がセキュリティー状態を確認する時間を短縮できる。
【００４１】
例えば、セキュリティー度合が、複数のポート６０のうち、開放状態のポート６０の数を示す情報を含む場合、使用者は、複数のポート６０のうち、どの位の数のポート６０が開放状態であるかを確認する時間を短縮できる。更に、記憶部３９に記憶された機密情報に対するセキュリティー度合を使用者は確認する時間を短縮できる。
【００４２】
操作画像４０Ａは、ボタン４２を更に含む。ボタン４２は、「設定」ボタンを示す。ボタン４２は、操作キー画像であり、設定動作を開始させる指示を使用者から受け付ける。設定動作を開始させる指示を受け付けたときに、表示部３０は、設定画像５０を表示する。
【００４３】
続けて、図５を参照して、表示部２４に表示された設定画像５０の一例について説明する。図５は、本実施形態に係る設定画像５０の一例を示す図である。図５に示すように、設定画像５０は、複数のセキュリティー設定項目５２を含む。
【００４４】
複数のセキュリティー設定項目５２毎に、状態情報が設定される。複数のセキュリティー設定項目５２の各々は、タイトル欄５５と、複数の入力欄５４とを含む。
【００４５】
複数のタイトル欄５５には、それぞれ、複数のプロトコルが予め設定されている。例えば、タイトル欄５５Ａには、ＨＴＴＰが設定され、タイトル欄５５Ｂには、セキュアな接続の上でホームページ閲覧処理を実行するためのＨＴＴＰＳ（Ｈｙｐｅｒ  Ｔｅｘｔ  Ｔｒａｎｓｆｅｒ  Ｐｒｏｔｏｃｏｌ  Ｓｅｃｕｒｅ）が設定され、タイトル欄５５Ｃには、ＳＭＴＰが設定されている。
【００４６】
複数の入力欄５４は、開閉状態欄５４ａと、ポート番号欄５４ｂとを含む。開閉状態欄５４ａは、例えば、開放状態と閉鎖状態とを切り替える２つのラジオボタンを含む。ポート番号欄５４ｂは、例えば、ポート番号を入力するための入力欄を含む。ポート番号欄５４ｂには、テキストデータが入力される。
【００４７】
使用者は、設定画像５０を用いて、複数のセキュリティー設定項目５２毎に、状態情報を設定する。具体的には、使用者は、複数のセキュリティー設定項目５２毎に、開閉状態欄５４ａでラジオボタンを選択して、ポート番号欄５４ｂにテキストデータを入力する。例えば、ＨＴＴＰが設定されたセキュリティー設定項目５２Ａには、開放状態を示す情報が設定され、８０番のポートを示す状態が設定される。その結果、第２ポート６２を介してホームページ閲覧処理が実行可能である。また、ＳＭＴＰが設定されたセキュリティー設定項目５２Ｃには、閉鎖状態を示す情報が設定され、２５番のポートを示す情報が設定される。その結果、第１ポート６１を介してファックス送信処理が実行不可能である。すなわち、画像形成装置２では、ファックス送信処理が実行不可能である。
【００４８】
次に、図６を参照して、表示部２４に表示された設定画像７０の他の一例について説明する。図６は、本実施形態に係る設定画像７０の他の一例を示す図である。図６に示すように、設定画像７０は、複数のセキュリティー設定項目７２を含む。
【００４９】
複数のセキュリティー設定項目７２毎に、状態情報が設定される。複数のセキュリティー設定項目７２の各々は、複数の入力欄７４を含む。
【００５０】
複数の入力欄７４は、開閉状態欄７４ａと、プロトコル名欄７４ｂと、ポート番号欄７４ｃと、アドレス欄７４ｄとを含む。開閉状態欄７４ａは、例えば、開放状態と閉鎖状態とを切り替える２つのラジオボタンを含む。プロトコル名欄７４ｂは、例えば、プロトコル名を入力するための入力欄を含む。プロトコル名欄７４ｂには、テキストデータが入力される。ポート番号欄７４ｃは、例えば、ポート番号を入力するための入力欄を含む。ポート番号欄７４ｃには、テキストデータが入力される。
【００５１】
アドレス欄７４ｄは、例えば、送信元ＩＰアドレスを入力するための入力欄を含む。アドレス欄７４ｄには、テキストデータが入力される。アドレス欄７４ｄに入力された送信元ＩＰアドレスは、通信許容情報を示す。通信許容情報は、複数の外部装置３のうち、ポート６０を介して通信可能な外部装置３を特定する情報を含む。
【００５２】
使用者は、設定画像７０を用いて、複数のセキュリティー設定項目７２毎に、状態情報を設定する。具体的には、使用者は、開閉状態欄７４ａでラジオボタンを選択して、プロトコル名欄７４ｂとポート番号欄５４ｂとアドレス欄７４ｄとにテキストデータを入力する。例えば、セキュリティー設定項目７２Ａには、開放状態を示す情報が設定され、ＦＴＰ（Ｆｉｌｅ  Ｔｒａｎｓｆｅｒ  Ｐｒｏｔｏｃｏｌ）が設定され、２０番のポートを示す情報が設定され、「１２３．１２３．１２３．０」を示す情報が設定される。その結果、第３ポート６３を介して外部装置３ａとデータ通信処理が実行可能である。
【００５３】
続けて、図７を参照して、本実施形態に係る操作画像４０Ｂの他の一例について説明する。図７は、本実施形態に係る操作画像４０Ｂ他の一例を示す図である。図７に示すように、表示部３０は、初期操作画像として操作画像４０Ｂを表示する。
【００５４】
操作画像４０Ｂは、セキュリティー度合を示す度合情報４３を含む。度合情報４３は、合計値４３ａと、メッセージ４３ｂとを含む。
【００５５】
例えば、複数の状態情報の各々には、点数が付与されている。具体的には、開閉状態欄５４ａ及び開閉状態欄７４ａに入力された開放状態を示す情報には、「−２点」が付与される。開閉状態欄５４ａ及び開閉状態欄７４ａに入力された閉鎖状態を示す情報には、「０点」が付与される。
【００５６】
合計値４３ａは、複数のセキュリティー設定項目５２にそれぞれ設定された複数の状態情報に付与された点数の合計値を含む。例えば、１０個のポート６０が開放状態であるときに、１０個×「−２点」であり、合計値４３ａは「８０点」である。一方、０個のポート６０が開放状態であるときに、０個×「−２点」であり、合計値４３ａは「１００点」である。
【００５７】
従って、本実施形態によれば、合計値４３ａが表示されるため、使用者は直感的にセキュリティー状態を認識できる。例えば、合計値４３ａが「１００点」であるときに、誤操作をしても複数の外部装置３に機密情報が送信されないことを使用者は認識できる。一方、合計値４３ａが「８０点」であるときには、複数の外部装置３に機密情報が送信される可能性又は第３者に盗聴される可能性があることを使用者は認識して、操作を実行できる。
【００５８】
メッセージ４３ｂは、複数のセキュリティー設定項目５２にそれぞれ設定された複数の状態情報に基づく。例えば、メッセージ４３ｂは、セキュリティー上の脅威を示す。例えば、第１ポート６１が開放状態であるとき、メッセージ４３ｂは「機密情報がファックス送信可能です」である。従って、本実施形態によれば、メッセージ４３ｂが表示されるため、セキュリティー上の脅威を使用者は容易に認識できる。
【００５９】
操作画像４０Ｂは、ボタン４４を更に含む。ボタン４４は、「自動設定」ボタンを示す。ボタン４４は、操作キー画像であり、自動設定動作を開始させる指示を使用者から受け付ける。
【００６０】
調整部１２ｃは、ボタン４４が使用者から自動設定動作を開始させる指示を受け付けたときに、度合情報に基づいて、複数のセキュリティー設定項目５２にそれぞれ設定された複数の状態情報を調整する。例えば、ボタン４４が使用者から自動設定動作を開始させる指示を受け付けたときに、全てのポート６０が閉鎖状態となる。従って、本実施形態によれば、使用者は、複数のセキュリティー設定項目５２の各々に、適切な状態情報をワンタッチで設定できる。
【００６１】
次に、図８を参照して、画像形成装置２の動作を説明する。図８は、画像形成装置２の動作を示すフローチャートである。図８に示すように、処理はステップＳ１０１からステップＳ１０５を含む。画像形成装置２の制御部１２は、ステップＳ１０１からステップＳ１０５の処理を実行する。具体的には次の通りである。
【００６２】
図８に示すように、まず、ステップＳ１０１において、設定部１２ａは、複数のセキュリティー設定項目５２毎に、状態情報を設定する。処理は、ステップＳ１０２に進む。
【００６３】
次に、ステップＳ１０２において、算出部１２ｂは、複数のセキュリティー設定項目５２にそれぞれ設定された複数の状態情報に基づいて、セキュリティー度合を算出する。処理は、ステップＳ１０３に進む。
【００６４】
次に、ステップＳ１０３において、表示部３０は、度合情報４３を表示する。処理は、ステップＳ１０４に進む。
【００６５】
次に、ステップＳ１０４において、調整部１２ｃは、ボタン４４が使用者から自動設定動作を開始させる指示を受け付けたかを判定する。ステップＳ１０４において、指示を受け付けたと判定した場合（ステップＳ１０４でＹｅｓ）、処理は、ステップＳ１０５に進む。ステップＳ１０５において、調整部１２ｃは、度合情報に基づいて、複数のセキュリティー設定項目５２にそれぞれ設定された複数の状態情報を調整する。そして、処理はステップＳ１０２に戻る。
【００６６】
一方、指示を受け付けていないと判定した場合（ステップＳ１０４でＮｏ）、処理は終了する。
【００６７】
以上、図面を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、本実施形態に示される全構成要素から幾つかの構成要素を削除してもよい。更に、異なる本実施形態にわたる構成要素を適宜組み合わせてもよい。図面は、理解しやすくするために、それぞれの構成要素を主体に模式的に示しており、図示された各構成要素の個数等は、図面作成の都合上から実際とは異なる。また、上記の実施形態で示す各構成要素の形状等は一例であって、特に限定されるものではなく、本発明の構成から実質的に逸脱しない範囲で種々の変更が可能である。
【００６８】
（１）本実施形態では、画像形成装置２が電子写真方式の複合機であるが、本発明はこれに限定されない。画像形成装置がシートＳにトナー像を形成すればよい。画像形成装置が、例えば、カラー複合機又はカラープリンターでもよい。
【００６９】
（２）本実施形態では、初期操作画像に度合情報４３を表示したが、本発明はこれに限定されない。設定画像又はユーティリティー画像に度合情報４３を表示してもよい。
【００７０】
（３）本実施形態では、開閉状態欄５４ａ及び開閉状態欄７４ａに入力された全ての開放状態を示す情報には、「−２点」が付与されているが、本発明はこれに限定されない。ポート６０の種類（重要度）によって点数を変えて付与されてもよい。例えば、セキュアな接続の上で処理を実行するためのポート６０の開放状態を示す情報には、「−１点」が付与されてもよい。
【００７１】
（４）本実施形態では、ボタン４４が使用者から自動設定動作を開始させる指示を受け付けたときに、全てのポート６０が閉鎖状態となったが、本発明はこれに限定されない。ボタン４４が使用者から自動設定動作を開始させる指示を受け付けたときに、所定のポート６０のみが閉鎖状態となってもよい。例えば、セキュアな接続の上で処理を実行するためのポート６０以外が閉鎖状態となってもよい。
【産業上の利用可能性】
【００７２】
本発明は、画像形成装置及び画像形成方法の分野に利用可能である。
【符号の説明】
【００７３】
２          画像形成装置
４          画像形成部
６          読取部
８          原稿搬送装置
１０        表示操作部
１２        制御部
１２ａ      設定部
１２ｂ      算出部
１４        給送部
１６        搬送部
１８        定着部
１９        排出部
２０        原稿トレイ
２４        表示部
２６        入力部
３９        記憶部
８０        通信部
【図１】
2020131448.tif 000003
【図２】
2020131448.tif 000004
【図３】
2020131448.tif 000005
【図４】
2020131448.tif 000006
【図５】
2020131448.tif 000007
【図６】
2020131448.tif 000008
【図７】
2020131448.tif 000009
【図８】
2020131448.tif 000010